(57)【要約】【課題】外観性の向上と設置工数の削減によるコストダウンと軽量化を図ることができる両面発光ＬＥＤランプを提供すること。【解決手段】長手方向に複数のＬＥＤ６を実装して成る基板３を直管型のアウタパイプ２内に挿入し、前記アウタパイプ２の長手方向両端をキャップ５によって封止して成る両面発光ＬＥＤランプ１として、前記基板３上の幅方向両端にサイドビュー型ＬＥＤ６を背中合わせに長手方向に沿って配置するとともに、前記アウタパイプ２の一部を高反射材７で構成するようにする。【選択図】図２
2014143125.tif 000002
【特許請求の範囲】
【請求項１】
長手方向に複数のＬＥＤを実装して成る基板を直管型のアウタパイプ内に挿入し、前記アウタパイプの長手方向両端をキャップによって封止して成る両面発光ＬＥＤランプであって、
前記基板上の幅方向両端にサイドビュー型ＬＥＤを背中合わせに長手方向に沿って配置するとともに、前記アウタパイプの一部を高反射材で構成したことを特徴とする両面発光ＬＥＤランプ。
【請求項２】
複数の前記基板同士をその長手方向端部同士を連結端子によって連結したことを特徴とする請求項１記載の両面発光ＬＥＤランプ。
【発明の詳細な説明】
【技術分野】
【０００１】
本発明は、アウタパイプの両面が発光する直管型の両面発光ＬＥＤランプに関するものである。
【背景技術】
【０００２】
近年、照明装置として高輝度で高寿命のＬＥＤ（発光ダイオード）を光源とするＬＥＤランプが従来の蛍光灯に代えて使用されるようになってきている（例えば、特許文献１参照）。この種のＬＥＤランプの一例を図４及び図５に示す。
【０００３】
即ち、図４は従来のＬＥＤランプの斜視図、図５は図４のＢ−Ｂ線断面図であり、図示の直管型型ＬＥＤランプ１０１は、図５に示すように長手方向（図５の紙面垂直方向）に複数のＬＥＤ１０２（図５には１つのみ図示）が適当な間隔で実装された基板１０３を基板ホルダ１０４によって保持し、これらの基板ホルダ１０４とこれに保持された基板１０３を直管型のアウタパイプ１０５内に挿入し、アウタパイプ１０５の長手方向両端を不図示の防水パッキンとキャップ１０７によって封止することによって構成されている。尚、アウタパイプ１０５は、光透過性樹脂の押出成形によって筒状に成形されており、その開口部（ＬＥＤ１０２から光が出射する部分）は光透過性樹脂から成る透明なレンズ１０９によって覆われている。
【０００４】
ところで、斯かる直管型のＬＥＤランプ１０１を例えば自動販売機等のショーケースの照明に使用する場合、ショーケースの中央の柱部分はその両面を照明する必要があるため、従来は図６の断面図に示すように、ＬＥＤランプ１０１を背中合わせに２本使用している。
【先行技術文献】
【特許文献】
【０００５】
【特許文献１】特開２０１２−１４２４０６号公報
【発明の概要】
【発明が解決しようとする課題】
【０００６】
しかしながら、従来のようにショーケースの中央の柱部分において、図６の断面図に示すようにＬＥＤランプ１０１を背中合わせに２本使用する場合、構成がシンプルでないために外観性が悪く、設置に手間が掛かって多くの工数を要し、コストアップや重量増加を招くという問題があった。
【０００７】
本発明は上記問題に鑑みてなされたもので、その目的とする処は、外観性の向上と設置工数の削減によるコストダウンと軽量化を図ることができる両面発光ＬＥＤランプを提供することにある。
【課題を解決するための手段】
【０００８】
上記目的を達成するため、請求項１記載の発明は、長手方向に複数のＬＥＤを実装して成る基板を直管型のアウタパイプ内に挿入し、前記アウタパイプの長手方向両端をキャップによって封止して成る両面発光ＬＥＤランプであって、前記基板上の幅方向両端にサイドビュー型ＬＥＤを背中合わせに長手方向に沿って配置するとともに、前記アウタパイプの一部を高反射材で構成したことを特徴とする。
【０００９】
請求項２記載の発明は、請求項１記載の発明において、複数の前記基板同士をその長手方向端部同士を連結端子によって連結したことを特徴とする。
【発明の効果】
【００１０】
請求項１記載の発明によれば、１本の両面発光ＬＥＤランプの両面から発光するため、例えばショーケースの中央の柱部分に１本の両面発光ＬＥＤランプを設置すれば、柱部分の両側を照明することができる。このため、構成が単純となって外観性が高められるとともに、従来は２本のＬＥＤランプを背中合わせに設置していた柱部分に１本の両面発光ＬＥＤランプを設置すれば済むため、その設置工数が削減されてコストダウンと軽量化が図られる。
【００１１】
請求項２記載の発明によれば、基板同士をその長手方向端部同士を連結端子によって連結することによって長尺の両面発光ＬＥＤランプを得ることができる。
【図面の簡単な説明】
【００１２】
【図１】本発明に係る両面発光ＬＥＤランプの部分斜視図である。
【図２】図１のＡ−Ａ線断面図である。
【図３】本発明に係る両面発光ＬＥＤランプの基板同士の接続端子による連結状態を示す部分斜視図である。
【図４】従来のＬＥＤランプの斜視図である。
【図５】図４のＢ−Ｂ線断面図である。
【図６】従来のＬＥＤランプの使用形態を示す断面図である。
【発明を実施するための形態】
【００１３】
以下に本発明の実施の形態を添付図面に基づいて説明する。
【００１４】
図１は本発明に係る両面発光ＬＥＤランプの部分斜視図、図２は図１のＡ−Ａ線断面図であり、本発明に係る両面発光ＬＥＤランプ１は、図２に示すように、扁平な長円筒状のアウタパイプ２の内部に基板３を収容し、図１に示すようにアウタパイプ２の長手方向両端（図１には一方のみ図示）を防水パッキン４とキャップ５によって封止して構成されている。
【００１５】
而して、本発明に係る両面発光ＬＥＤランプ１においては、図２に示すように、前記基板３上の幅方向両端にサイドビュー型ＬＥＤ６が背中合わせに長手方向に沿って複数配置されている。そして、アウタパイプ２の一部は高反射材７によって構成されており、この高反射材７の内面には２つのリブ７ａが長手方向（図２の紙面垂直方向）に沿って一体に形成されている。この高反射材７の２つのリブ７ａによってアウタパイプ２内は左右２つの空間Ｓ１と幅方向中央の空間Ｓ２が形成されており、左右の空間Ｓ１に前記サイドビュー型ＬＥＤ６が収容されている。更に、アウタパイプ２の内面には、長手方向に沿う一対のガイド２ａが形成されており、これらのガオド２ａは基板３の挿入を案内する機能を果たす。尚、本実施の形態では、図３に示すように、所定長さの複数の基板３がその長手方向端部同士を連結端子８によって連結されており、連結端子８は、図２に示すようにアウタパイプ２内に形成された幅方向中央の空間Ｓ２に収容されている。
【００１６】
而して、以上のように構成された両面発光ＬＥＤランプ１において、基板３上の複数のサイドビュー型ＬＥＤ６に通電されてこれらのサイドビュー型ＬＥＤ６が発光すると、その光は、高反射材７によって反射しつつ図２に矢印にて示すように左右外側方に向かって出射するため、１本の両面発光ＬＥＤランプ１の両面が発光することとなる。
【００１７】
従って、例えばショーケースの中央の柱部分に本発明に係る両面発光ＬＥＤランプ１を１本設置するだけで、柱部分の両側を同時に照明することができる。このため、柱部分の構造が単純化して外観性が高められる。又、柱部分には１本の両面発光ＬＥＤランプ１を設置すれば良いため、その設置が容易化して設置工数が削減され、当該両面発光ＬＥＤランプ１のコストダウンと軽量化が図られる。
【００１８】
又、基板３同士の長手方向端部同士を連結端子８によって連結することによって長尺の両面発光ＬＥＤランプ１を得ることができる。
【符号の説明】
【００１９】
１          両面発光ＬＥＤランプ
２          アウタパイプ
２ａ        アウタパイプのガイド
３          基板
５          キャップ
６          サイドビュー型ＬＥＤ
７          高反射材
７ａ        高反射材のリブ
８          連結端子
Ｓ１，Ｓ２  空間
【図１】
2014143125.tif 000003
【図２】
2014143125.tif 000004
【図３】
2014143125.tif 000005
【図４】
2014143125.tif 000006
【図５】
2014143125.tif 000007
【図６】
2014143125.tif 000008